【手続補正書】
【提出日】平成20年8月27日(2008.8.27)
【手続補正１】
【補正対象書類名】特許請求の範囲
【補正対象項目名】全文
【補正方法】変更
【補正の内容】
【特許請求の範囲】
【請求項１】
搬送波をデータにて変調し、前記変調したデータを無線通信する第１無線通信部と、
前記データの制御または処理に使用される制御信号を直接変調し、前記直接変調した制御信号を無線通信する第２無線通信部とを有することを特徴とする無線通信装置。
【請求項２】
前記第１無線通信部は、ＢＰＳＫ方式、ＱＰＳＫ方式、６４ＱＡＭ方式または２５６ＱＡＭ方式を用いて前記データの変調を行い、前記第２無線通信部は、ＵＷＢ−ＩＲ方式を用いて前記制御信号の直接変調を行うことを特徴とする請求項１記載の無線通信装置。
【請求項３】
前記第２無線通信部は、前記第１無線通信部から送信されるシンボルの変化のタイミングに合わせて制御信号を送信することを特徴とする請求項１または２記載の無線通信装置。
【請求項４】
パルスを発生するパルス発生部を有し、
前記制御信号の直接変調は、前記制御信号に基づいて前記パルスを変調することにより行われる
ことを特徴とする請求項１から３の何れか１項に記載の無線通信装置。
【請求項５】
搬送波をデータにて変調し、前記変調したデータを無線送信する第１無線送信部と、
前記第１無線送信部から送信されたデータを受信する第１無線受信部と、
前記データの制御または処理に使用される制御信号を直接変調し、前記直接変調した制御信号を無線送信する第２無線送信部と、
前記第２無線送信部から送信された制御信号を受信する第２無線受信部とを有することを特徴とする無線通信装置。
【請求項６】
前記第２無線送信部は、前記第１無線受信部にて前記第１無線送信部から送信されたデータを受信する時の搬送波周波数に関する情報を前記第２無線受信部に送り、
前記第１無線送信部は、前記第２無線受信部にて受信された搬送波周波数に関する情報に基づいて、前記搬送波をデータにて変調する時の搬送波周波数を調整することを特徴とする請求項５記載の無線通信装置。
【請求項７】
搬送波をデータにて変調し、前記変調したデータを無線送信する第１無線送信部と、
前記第１無線送信部から送信されたデータを受信する第１無線受信部と、
前記データの制御または処理に使用される制御信号を基準クロックに同期したタイミングで直接変調し、前記直接変調した制御信号を無線送信する第２無線送信部と、
前記第２無線送信部から送信された制御信号を受信する第２無線受信部とを有し、
前記第１無線送信部は、前記制御信号の受信波形に基づいて再生された基準クロックに基づいて前記搬送波を生成することを特徴とする無線通信装置。
【請求項８】
第１筐体部と、
第２筐体部と、
前記第１筐体部と前記第２筐体部との位置関係を変えられるように前記第１筐体部と前記第２筐体部とを連結する連結部と、
前記第１筐体部に搭載され、搬送波をデータにて変調し、前記変調したデータを無線送信する第１無線送信部と、
前記第２筐体部に搭載され、前記第１無線送信部から送信されたデータを受信する第１無線受信部と、
前記第２筐体部に搭載され、前記データの制御または処理に使用される制御信号を直接変調し、前記直接変調した制御信号を無線送信する第２無線送信部と、
前記第１筐体部に搭載され、前記第２無線送信部から送信された制御信号を受信する第２無線受信部とを有することを特徴とする無線通信装置。
【請求項９】
前記第１筐体部に搭載され、前記無線通信装置の外部と無線通信を行う外部無線通信部と、
前記第２筐体部に搭載された表示部とを有することを特徴とする請求項８に記載の無線通信装置。
【請求項１０】
同一半導体チップに形成された第１および第２回路ブロックと、
前記第１回路ブロックに形成され、搬送波をデータにて変調し、前記変調したデータを無線送信する第１無線送信部と、
前記第２回路ブロックに形成され、前記第１無線送信部から送信されたデータを受信する第１無線受信部と、
前記第２回路ブロックに形成され、前記データの制御または処理に使用される制御信号を直接変調し、前記直接変調した制御信号を無線送信する第２無線送信部と、
前記第１回路ブロックに形成され、前記第２無線送信部から送信された制御信号を受信する第２無線受信部とを有することを特徴とする無線通信装置。
【請求項１１】
実装基板上に実装された第１および第２半導体チップと、
前記第１半導体チップに形成され、搬送波をデータにて変調し、前記変調したデータを無線送信する第１無線送信部と、
前記第２半導体チップに形成され、前記第１無線送信部から送信されたデータを受信する第１無線受信部と、
前記第２半導体チップに形成され、前記データの制御または処理に使用される制御信号を直接変調し、前記直接変調した制御信号を無線送信する第２無線送信部と、
前記第１半導体チップに形成され、前記第２無線送信部から送信された制御信号を受信する第２無線受信部とを有することを特徴とする無線通信装置。
【請求項１２】
第１無線通信部と第２無線通信部とを有する無線通信装置における無線通信方法であって、
搬送波をデータにて変調し、前記変調したデータを前記第１無線通信部から無線通信す
る第１無線通信工程と、
前記データの制御または処理に使用される制御信号を直接変調し、前記直接変調した制御信号を前記第２無線通信部から無線通信する第２無線通信工程とを有することを特徴とする無線通信方法。
【手続補正２】
【補正対象書類名】明細書
【補正対象項目名】０００５
【補正方法】変更
【補正の内容】
【０００５】
上述した課題を解決するために、本発明の一態様に係る無線通信装置によれば、搬送波をデータにて変調し、前記変調したデータを無線通信する第１無線通信部と、前記データの制御または処理に使用される制御信号を直接変調し、前記直接変調した制御信号を無線通信する第２無線通信部とを有することを特徴とする。
また、本発明の一態様に係る無線通信方法によれば、第１無線通信部と第２無線通信部とを有する無線通信装置における無線通信方法であって、搬送波をデータにて変調し、前記変調したデータを前記第１無線通信部から無線通信する第１無線通信工程と、前記データの制御または処理に使用される制御信号を直接変調し、前記直接変調した制御信号を前記第２無線通信部から無線通信する第２無線通信工程とを有することを特徴とする。
これにより、制御信号を無線にて送受信するために、混合器やローパスフィルタを用いる必要がなくなり、回路規模を低減することが可能となるとともに、データの送信に必要な通信速度を確保しつつ、制御信号の通信速度を低速化することが可能となり、消費電力を低減することができる。
【手続補正３】
【補正対象書類名】明細書
【補正対象項目名】０００６
【補正方法】変更
【補正の内容】
【０００６】
また、本発明の一態様に係る無線通信装置によれば、前記第１無線通信部は、ＢＰＳＫ方式、ＱＰＳＫ方式、６４ＱＡＭ方式または２５６ＱＡＭ方式を用いて前記データの変調を行い、前記第２無線通信部は、ＵＷＢ−ＩＲ方式を用いて前記制御信号の直接変調を行うことを特徴とする。
これにより、制御信号以外のデータの通信速度を高速化することが可能となるとともに、制御信号のスペクトル分布を広帯域化することができ、耐干渉性を向上させることができる。また、制御信号のエネルギーを短時間に集中させることが可能となり、制御信号の通信に割り当てられる占有時間を減少させることが可能となることから、制御信号以外のデータの通信に割り当て可能な占有時間を増加させることができ、スループットを向上させることができる。
【手続補正４】
【補正対象書類名】明細書
【補正対象項目名】０００７
【補正方法】変更
【補正の内容】
【０００７】
また、本発明の一態様に係る無線通信装置によれば、前記第２無線通信部は、前記第１無線通信部から送信されるシンボルの変化のタイミングに合わせて制御信号を送信するこ
とを特徴とする。
これにより、データの振幅の小さい領域に制御信号を重ねることが可能となり、データと制御信号とを同時に送信した場合においても、制御信号への妨害を抑制することができる。このため、制御信号の耐干渉性の劣化を抑制しつつ、スループットを向上させることができる。
また、本発明の一態様に係る無線通信装置によれば、パルスを発生するパルス発生部を有し、前記制御信号の直接変調は、前記制御信号に基づいて前記パルスを変調することにより行われることを特徴とする。
【手続補正５】
【補正対象書類名】明細書
【補正対象項目名】０００８
【補正方法】変更
【補正の内容】
【０００８】
また、本発明の一態様に係る無線通信装置によれば、搬送波をデータにて変調し、前記変調したデータを無線送信する第１無線送信部と、前記第１無線送信部から送信されたデータを受信する第１無線受信部と、前記データの制御または処理に使用される制御信号を直接変調し、前記直接変調した制御信号を無線送信する第２無線送信部と、前記第２無線送信部から送信された制御信号を受信する第２無線受信部とを有することを特徴とする。
【手続補正６】
【補正対象書類名】明細書
【補正対象項目名】０００９
【補正方法】変更
【補正の内容】
【０００９】
これにより、制御信号を無線にて送受信するために、混合器やローパスフィルタを用いる必要がなくなり、回路規模を低減することが可能となるとともに、データの送信に必要な通信速度を確保しつつ、制御信号の通信速度を低速化することが可能となり、消費電力を低減することができる。
また、本発明の一態様に係る無線通信装置によれば、前記第２無線送信部は、前記第１無線受信部にて前記第１無線送信部から送信されたデータを受信する時の搬送波周波数に関する情報を前記第２無線受信部に送り、前記第１無線送信部は、前記第２無線受信部にて受信された搬送波周波数に関する情報に基づいて、前記搬送波をデータにて変調する時の搬送波周波数を調整することを特徴とする。
【手続補正７】
【補正対象書類名】明細書
【補正対象項目名】００１０
【補正方法】変更
【補正の内容】
【００１０】
これにより、送受信間の搬送波周波数の精度に依存することなく、送受信間で搬送波周波数に関する情報を共有することができる。このため、送受信間で搬送波周波数にずれがある場合においても、回路規模の増大を抑制しつつ、送受信間の搬送波周波数を早期に一致させることが可能となり、搬送波変調を用いた無線通信を安定して行うことができる。
また、本発明の一態様に係る無線通信装置によれば、搬送波をデータにて変調し、前記変調したデータを無線送信する第１無線送信部と、前記第１無線送信部から送信されたデータを受信する第１無線受信部と、前記データの制御または処理に使用される制御信号を
基準クロックに同期したタイミングで直接変調し、前記直接変調した制御信号を無線送信する第２無線送信部と、前記第２無線送信部から送信された制御信号を受信する第２無線受信部とを有し、前記第１無線送信部は、前記制御信号の受信波形に基づいて再生された基準クロックに基づいて前記搬送波を生成することを特徴とする。
【手続補正８】
【補正対象書類名】明細書
【補正対象項目名】００１１
【補正方法】変更
【補正の内容】
【００１１】
これにより、搬送波を生成するための局部発振器を第１無線送信部に設けることなく、搬送波変調を用いた無線通信を第１無線送信部と第１無線受信部との間で行うことが可能となるとともに、送受信間での周波数偏差を低減することができる。このため、回路規模の増大を抑制しつつ、搬送波変調を用いた無線通信を安定して行うことができる。
また、本発明の一態様に係る無線通信装置によれば、第１筐体部と、第２筐体部と、前記第１筐体部と前記第２筐体部との位置関係を変えられるように前記第１筐体部と前記第２筐体部とを連結する連結部と、前記第１筐体部に搭載され、搬送波をデータにて変調し、前記変調したデータを無線送信する第１無線送信部と、前記第２筐体部に搭載され、前記第１無線送信部から送信されたデータを受信する第１無線受信部と、前記第２筐体部に搭載され、前記データの制御または処理に使用される制御信号を直接変調し、前記直接変調した制御信号を無線送信する第２無線送信部と、前記第１筐体部に搭載され、前記第２無線送信部から送信された制御信号を受信する第２無線受信部とを有することを特徴とする。
【手続補正９】
【補正対象書類名】明細書
【補正対象項目名】００１２
【補正方法】変更
【補正の内容】
【００１２】
これにより、第２筐体部に搭載された表示部の大画面化および高精細度化に対応して、第１筐体部から第２筐体部に送信される表示データのデータ量が増大した場合においても、連結部の構成を複雑化させることなく、表示データを滞りなく表示部に送信することが可能となる。また、制御信号を無線にて送受信するために、混合器やローパスフィルタを用いる必要がなくなり、回路規模を低減することが可能となるとともに、制御信号の通信速度を低速化することが可能となり、消費電力を低減することができる。このため、無線通信端末の長時間動作を可能としつつ、無線通信端末の小型薄型化および高信頼性化を図ることが可能となるとともに、無線通信端末の携帯性を損なうことなく、無線通信端末の大画面化および多機能化を図ることができる。
また、本発明の一態様に係る無線通信装置によれば、前記第１筐体部に搭載され、前記無線通信装置の外部と無線通信を行う外部無線通信部と、前記第２筐体部に搭載された表示部とを有することを特徴とする。
【手続補正１０】
【補正対象書類名】明細書
【補正対象項目名】００１３
【補正方法】変更
【補正の内容】
【００１３】
また、本発明の一態様に係る無線通信装置によれば、同一半導体チップに形成された第１および第２回路ブロックと、前記第１回路ブロックに形成され、搬送波をデータにて変調し、前記変調したデータを無線送信する第１無線送信部と、前記第２回路ブロックに形成され、前記第１無線送信部から送信されたデータを受信する第１無線受信部と、前記第２回路ブロックに形成され、前記データの制御または処理に使用される制御信号を直接変調し、前記直接変調した制御信号を無線送信する第２無線送信部と、前記第１回路ブロックに形成され、前記第２無線送信部から送信された制御信号を受信する第２無線受信部とを有することを特徴とする。
【手続補正１１】
【補正対象書類名】明細書
【補正対象項目名】００１５
【補正方法】変更
【補正の内容】
【００１５】
また、本発明の一態様に係る無線通信装置によれば、実装基板上に実装された第１および第２半導体チップと、前記第１半導体チップに形成され、搬送波をデータにて変調し、前記変調したデータを無線送信する第１無線送信部と、前記第２半導体チップに形成され、前記第１無線送信部から送信されたデータを受信する第１無線受信部と、前記第２半導体チップに形成され、前記データの制御または処理に使用される制御信号を直接変調し、前記直接変調した制御信号を無線送信する第２無線送信部と、前記第１半導体チップに形成され、前記第２無線送信部から送信された制御信号を受信する第２無線受信部とを有することを特徴とする。